(57)【要約】【課題】災害発生時などにおいて、ガスや電気を用いることなく、容易且つ即時にお湯を沸かす。【解決手段】開口を有し、水密性の素材で形成された水密容器部１１０と、水密容器部１１０を収納可能な開口１０１ａを有する水密性の加熱容器部１０１と、水密容器部１１０とともに加熱容器部１０１内に収納され、水和反応又は酸化反応により発熱する加熱剤と、加熱容器部１０１の外表面を囲繞する断熱性の断熱部１０３と、加熱容器部１０１内に挿入され、開口１０１ａを塞ぐ蓋体部１４０とを備え、蓋体部には、内部に水密容器部１１０を収納して開口１０１ａを塞いだ状態において、加熱容器部１０１内の内側面と接触する折畳片が複数設けられている【選択図】  図１
2016067386.tif 000002
【特許請求の範囲】
【請求項１】
開口を有し、水密性の素材で形成された水密容器と、
前記水密容器を収納可能な開口を有する水密性の加熱容器部と、
前記水密容器とともに前記加熱容器部内に収納され、水和反応又は酸化反応により発熱する加熱剤と、
前記加熱容器部の外表面を囲繞する断熱性の断熱部と、
前記加熱容器部内に挿入され、前記開口を塞ぐ蓋体部と、
を備え、
前記蓋体部には、内部に前記水密容器を収納して前記開口を塞いだ状態において、前記加熱容器部内の内側面と接触する折畳片が複数設けられている
ことを特徴とする包装容器。
【請求項２】
水密性の素材で形成された袋状の水密容器と、
前記水密容器を収納可能な開口を有する水密性の加熱容器部と、
前記加熱容器部内に収納され、水和反応又は酸化反応により発熱する加熱剤と、
前記加熱容器部の前記開口に係合される蓋体部と
を備え、
前記蓋体部には、
当該蓋体部を上下に貫通する貫通孔と、
上部において前記貫通孔に向けて下り傾斜されたテーパー状の傾斜面と
を有し、
前記貫通孔を介して前記加熱容器部の内部と外気とは連通している
ことを特徴とする包装容器。
【発明の詳細な説明】
【技術分野】
【０００１】
本発明は、お湯を沸かしたり、レトルト食品やカップ麺などの乾物など熱いお湯を利用する様々な食品に利用することができる包装容器に関する。
【背景技術】
【０００２】
従来の非常用食品として、予め調理した後に脱水加工し、食するときに加水加熱して、調理後の状態に近いものに復元するようにしたインスタント食品がある。
【０００３】
このようなインスタント食品を温める器具として、例えば、特許文献１にがある。特許文献１に開示された技術は、通電のための回路に、サーモスタット及びタイマーが直列に接続されており、サーモスタットによって、ある所定の温度まで上昇したことが検知されると通電が遮断される。その後、他の所定の温度まで下降したことが検知されると通電が再開する。
【０００４】
タイマーにより設定された時間の間、これら検知される２つの異なる所定の温度の間で、通電の遮断と再開とが繰り返され、且つ、タイマーにより設定された時間が経過すると、通電が遮断される回路が設けられているものである。これにより、 レトルト食品が十分に温められつつも、レトルト食品の袋が膨らんで破裂したり、電気エネルギーが無駄になったりすることを防止する
【先行技術文献】
【特許文献】
【０００５】
【特許文献１】特開平１０−３２８０３３号公報
【発明の概要】
【発明が解決しようとする課題】
【０００６】
ところで、大型台風や巨大地震などの非常事態のもとでは、ガスや電気等の熱源の確保が不可能となることが予想される。そのため、特許文献１に開示されたような電気を用いる技術では使用することができなかった。また、カセットコンロなどの持ち運び可能なガス供給手段を用いた場合には、ガス漏れにより引火の危険性がある。さらに、このような非常事態の元では、容易且つ即時にお湯を沸かせることとが重要である。
【０００７】
そこで、本発明は、上記のような問題を解決するものであり、災害発生時などにおいて、ガスや電気を用いることなく容易且つ即時にお湯を沸かすことができる包装容器を提供することを目的とする。
【課題を解決するための手段】
【０００８】
上記課題を解決するために、本発明の包装容器は、開口を有し、水密性の素材で形成された水密容器と、水密容器を収納可能な開口を有する水密性の加熱容器部と、水密容器とともに加熱容器部内に収納され、水和反応又は酸化反応により発熱する加熱剤と、加熱容器部の外表面を囲繞する断熱性の断熱部と、加熱容器部内に挿入され、開口を塞ぐ蓋体部とを備え、蓋体部には、内部に水密容器を収納して開口を塞いだ状態において、加熱容器部内の内側面と接触する折畳片が複数設けられていることを特徴とする。
【０００９】
このような本発明によれば、水密容器に水を入れた状態で加熱容器部内に収納し、その加熱容器部内に水を入れることで、加熱容器部内に収納された加熱剤に水和反応又は酸化反応を生じさせ、加熱容器部内の水密容器を加熱することができる。これにより、本発明では、災害発生時などにおいて、ガスや電気を用いることなくお湯を沸かすことができるので、美味しい飲み物を安全に提供することができる。
【００１０】
また、本発明では、加熱容器部の外表面を囲繞する断熱性の断熱部を備えているので、お湯が沸いた場合でも断熱部を介して加熱容器部を掴むことができるので、利用者は、火傷することなく包装容器全体を掴んで、内容物が収納されたフィルターにお湯を注ぐことができる。
【００１１】
さらに、本発明では、蓋体部には、内部に水密容器を収納して開口を塞いだ状態において、加熱容器部内の内側面と接触する折畳片が複数設けられているので、加熱剤の水和反応又は酸化反応によって加熱容器部内の蒸気圧が変化した場合であっても、加熱容器部の内側面と折畳片との摩擦力により、蓋体部が開口から外れてしまうことを防止できる。
【００１２】
また、折畳片を上部に向けて突出するように折り畳むことで、当該折畳片を蓋体部を把持する取っ手として機能させることもできる。これにより、ユーザーは火傷することなく、加熱容器部内の蒸気圧によって温められた蓋体部を掴むことことができる。
【００１３】
また、他の発明は、水密性の素材で形成された袋状の水密容器と、水密容器を収納可能な開口を有する水密性の加熱容器部と、加熱容器部内に収納され、水和反応又は酸化反応により発熱する加熱剤と、加熱容器部の開口に係合される蓋体部とを備え、蓋体部には、当該蓋体部を上下に貫通する貫通孔と、上部において貫通孔に向けて傾斜されたテーパー状の傾斜面と
を有し、貫通孔を介して加熱容器部の内部と外気とは連通していることを特徴とする。
【００１４】
このような本発明によれば、水密容器に水を入れた状態で加熱容器部内に収納し、その加熱容器部内に水を入れることで、加熱容器部内に収納された加熱剤によって水和反応又は酸化反応を生じさせ、加熱容器部内の水密容器を加熱することができる。これにより、本発明では、災害発生時などにおいて、ガスや電気を用いることなくお湯を沸かすことができるので、美味しい飲み物を安全に提供することができる。
【００１５】
特に、本発明では、蓋体部には、当該蓋体部を上下に貫通する貫通孔と、貫通孔を介して加熱容器部の内部と外気とは連通可能となっているので、加熱容器部に蓋体部を係合させて包装容器全体を組み立てた後に、沸かすための水を貫通孔を通じて加熱容器部の内部に注水可能できるとともに、沸いたお湯を貫通孔を通じて外部に排水することができるので、容易且つ即時にお湯を沸かして利用することができる。
【００１６】
また、蓋体部には、上部において貫通孔に向けて下り傾斜されたテーパー状の傾斜面とを有しているので、加熱剤と反応させるための水を漏らすが外部に溢れてしまうことを防止することができる。
【発明の効果】
【００１７】
以上述べたように、この発明によれば、災害発生時などにおいて、ガスや電気を用いることなく、容易且つ即時にお湯を沸かすことができる。
【図面の簡単な説明】
【００１８】
【図１】第１実施形態に係る包装容器の全体構成を示す概略図である。
【図２】第１実施形態に係る加熱容器部及び断熱部の構成を示す斜視図である。
【図３】（ａ）は、第１実施形態に係る水密容器部を示す斜視図であり、同図（ｂ）は、蓋体部を示す上面図である。
【図４】（ａ）〜（ｃ）は、第１実施形態に係る包装容器の使用状態を示す説明図である。
【図５】第２実施形態に係る包装容器の全体構成を示す概略図である。
【図６】（ａ）は、第２実施形態に係る加熱容器部の構成を示す斜視図であり、同図（ｂ）は、その上面図であり、同図（ｃ）は、Ａ−Ａ断面図である。
【図７】第２実施形態に係る水密容器部の構成を示す斜視図である
【図８】第２実施形態に係る加熱材配置部の構成を示す斜視図である。
【図９】（ａ）は、蓋体部を示す斜視図であり、同図（ｂ）は、その上面図であり、同図（ｃ）は、Ｂ−Ｂ断面図である。
【図１０】第２実施形態に係る加熱容器部と蓋体部との係合状態を示す一部断面図である。
【図１１】（ａ）及び（ｂ）は、第２実施形態に係る包装容器の使用状態を示す説明図である。
【図１２】（ａ）〜（ｃ）は、第２実施形態に係る包装容器の使用状態を示す説明図である。
【発明を実施するための形態】
【００１９】
［第１実施形態］
以下に添付図面を参照して、本発明に係る包装容器の第１実施形態を詳細に説明する。なお、本実施形態においては、包装容器に収納される内容物として水を例に説明するが、発明の包装容器はこれに限定されるものではなく、レトルト食品やカップ麺などの乾物など熱いお湯を利用する様々な物に利用可能である。
【００２０】
（包装容器の構成）
図１は、本実施形態に係る包装容器１００の全体構成を示す概略図であり、図２は、第１実施形態に係る加熱容器部及び断熱部の構成を示す斜視図であり、図３（ａ）は、第１実施形態に係る水密容器部を示す斜視図であり、同図（ｂ）は、蓋部を示す上面図である。
【００２１】
図１に示すように、包装容器１００は、必要な熱湯を沸かして供給する用具であって、加熱容器部１０１と、水密容器部１１０と、蓋体部１４０と、加熱剤１２０とから構成されている。この包装容器１００は、保管時には、加熱容器部１０１の内部に、水密容器部１１０と、蓋体部１４０と、加熱剤１２０とが封入されているものとする。
【００２２】
加熱容器部１０１は、図２に示すように、２枚のシートの底部及び両側部を貼り合わせて形成され、上部に水密容器部１１０を収納可能な開口１０１ａを有する袋状の部材である。加熱容器部１０１は、アルミニウム箔など耐熱性フィルムから形成されて水密性を有している。このよう加熱容器部１０１において底面は、中央部において山折りにされに形成され、折り畳むことが可能となっている。
【００２３】
加熱容器部１０１の外部には、加熱容器部１０１の外表面を囲繞する断熱部１０３を有している。断熱部１０３は、断熱性の部材である厚紙などで形成されている。本実施形態において、断熱部１０３には、その外表面が凹凸状となるエンボス加工が施され、熱が伝達されにくくなっている。これにより、ユーザーが包装容器１００を持った際、火傷しないようになっている。なお、断熱部１０３の外表面としては、絹目，布目，梨目、波目など種々の形状を採用することができる。また、断熱部１０３は、加熱容器部１０１の底部も覆うように袋状に形成させてもよい。
【００２４】
水密容器部１１０は、図３（ａ）に示すように、内部に飲料水を収納する水密性の素材で形成された袋状の部材であり、ポリエチレンなどの合成樹脂で形成されている。この水密容器部１１０の上部には、外部と連通する筒状であって開口１１０ｂを有する首部１１０ａが形成されており、この首部１１０ａの外周部には、蓋部１１１と螺合されるための雄ねじが形成されている。一方、蓋部１１１の内面には雌ねじが形成されており、この首部１１０ａに螺合されることで、水密容器部１１０は密閉状態となる。
【００２５】
なお、水密容器部１１０は、加熱容器部１０１内に保管する場合には、内部は空となっており、使用時に首部１１０ａの開口１１０ｂを通じて本体１１０ｃ内部に水が注ぎ込まれるようになっている。また、水密容器部１１０の本体１１０ｃ内には、１杯、又は複数杯分の水が収納可能な大きさになっているものとする。
【００２６】
蓋体部１４０は、加熱容器部１０１内に挿入され、開口を塞ぐ板状部材であり、加熱容器部１０１内で発生した熱源が外部に放出されることを防止している。この蓋体部１４０は、防水性を有するものとする。本実施形態では、厚紙などの熱遮断材を防水性を有する合成樹脂シートで覆って形成されている。
【００２７】
この蓋体部１４０は、加熱容器部１０１の開口１００ａの形状と合致するように略楕円形状をなしてた本体部１４１と、本体部１４１の外縁部分１４１ａから外方に向けて突出する複数の折畳片１４２と、本体部１４１の略中央において、本体部１４１を貫通する貫通孔１４５と、本体部１４１の一部を切り欠いた一対の切欠部１４４，１４４が設けられている。
【００２８】
貫通孔１４５は、水密容器部１１０に係る首部１１０ａの外形と合致する大きさの径を有した孔であり、使用時には、首部１１０ａが挿通される。また、この貫通孔１４５は、水密容器部１１０に係る蓋部１１１の外形よりも小さい径となっている。これにより、首部１１０ａに蓋部１１１が螺合されることで、蓋体部１４０と水密容器部１１０とは係合される。
【００２９】
複数の折畳片１４２は、本体部１４１に対して上方又は下方に向けて垂直に折り畳み可能となっている。下方に向けて折り畳まれた折畳片１４２は、使用時に、加熱容器部１０１の内側面と接触し、蓋体部１４０の位置を固定する固定部とし機能する。一方、上方に向けて折り畳まれた折畳片１４２は、ユーザーに把持可能となり、加熱容器部１０１における水密容器部１１０の位置を調整する取っ手部として機能する。
【００３０】
なお、本実施形態では、対向する２つの折畳片１４２が上方に向けて折り畳まれており、一対の折畳片１４２を介して蓋体部１４０を押し込むことで、下部に位置する水密容器部１１０を加熱容器部１０１の所定位置に配置させる。一方、この一対の折畳片１４２を掴んで引っ張ることで、水密容器部１１０を加熱容器部１０１から取り出すことも可能である。
【００３１】
なお、本実施形態においては、６つの折畳片１４２を備え、２つの折畳片１４２が上方に折り畳まれ、４つの折畳片１４２が下方に折り畳まれているが、折り畳まれる折畳片１４２の方向及び数は、種々変更可能である。
【００３２】
切欠部１４４は、本体部１４１の外縁の一部を切り欠いて形成された孔であり、蓋体部１４０を加熱容器部１０１に収納させた際、加熱容器部１０１の内部と外部とを連通させる。これにより、加熱剤１２０と反応させる水を蓋体部１４０を加熱容器部１０１内部に収納させた状態で、加熱容器部１０１内部に注水することができる。また、この切欠部１４４により、加熱容器部１０１内部で発生した水蒸気の一部を外部に抜き出させて、包装容器１００の内圧を調整可能となっている。
【００３３】
加熱剤１２０は、加熱容器部１０１内に収納され、水和反応又は酸化反応により発熱する部材であり、本実施形態では、アルミニウム粉末と生石灰を混ぜてなる発熱材からなる。この加熱剤１２０は、保管時には、水密性を有する袋体で密閉されている。この袋体は、図示していないが、アルミニウムなどの防湿性を有する素材で形成される。また、袋体には、当該袋体を半分に折り曲げるための折り曲げ線が外表に表記されており、当該折り曲げ線に沿って袋体を折り曲げ、折り曲げた部分まで先ずを袋体に注ぐと、その水量は、加熱剤１２０に反応させる適量になっている。
【００３４】
加熱剤１２０の使用時には、袋体から取り出されて水が注がれることで、加熱剤１２０の生石灰と水を反応して発熱を開始する。その反応熱により、アルミニウム粉末が高温の反応水と反応し、さらに発熱して高温となる。そして、高温になった反応水の一部は、水蒸気となる。この際、本実施形態では、蓋体部１４０で開口１０１ａを覆っているので、加熱容器部１０１の中に水蒸気を充満させて水密容器部１１０内の水を沸かし易くしている。この際、蓋体部１４０の折畳片１４２にが加熱容器部１０１の内側面と接触するように折り畳まれているので、発生した水蒸気による圧力によって蓋体部１４０が外れてしまうことを防止できる。
【００３５】
さらに、本実施形態では、貫通孔１４５に水密容器部１１０の首部１１０ａを挿通させ、その上で首部１１０ａと蓋部１１１とを螺合させて、蓋体部１４０と水密容器部１１０とを連結されているので、発生した水蒸気による圧力によって蓋体部１４０が外れてしまうことを防止できる。なお、このように発生した水蒸気は、蓋体部１４０の切欠部１４４から一部が抜け出させることもでき、これにより、包装容器１００の内圧が調整される。
【００３６】
（使用方法）
このような本実施形態に係る包装容器１００を使用する場合、先ず、加熱容器部１０１と断熱部１０３との底面の山折り部を平らにして、その上に、水密性の袋体から取り出して加熱剤１２０を載置する。さらに、水密容器部１１０の蓋部１１１を取り外し、首部１１０ａの開口１１０ｂから飲料用の飲料水１０を注ぎ込む。水密容器部１１０の内部に水が収納されたら、図４（ａ）に示すように、首部１１０ａを蓋体部１４０の貫通孔に挿通させ、挿通させた後に首部１１０ａと蓋部１１１とを螺合することで、蓋体部１４０と水密容器部１１０を係合するとともに、水密容器部１１０を密閉状態とする。
【００３７】
その後、本体部１４１の複数の折畳片１４２を上方又は下方に折り畳む。そして、ユーザーは、上方に向けて折り畳まれた折畳片１４２を掴んだ状態で、水密容器部１１０及び蓋体部１４０を加熱容器部１０１内に収納する。その後、図４（ｂ）示すように、水２０を加熱容器部１０１の開口１０１ａより内部に注ぎ込こむ。なお、この際、水２０は、加熱剤１２０を収納した袋体（図示せず）に一度注ぎ込み、袋体に蓄積された適量な水２０を加熱容器部１０１に注いでもよい。この際、袋体には、加熱容器部１０１内に注ぎ込む水２０の適量を示す目印（例えば、折り目や目盛り等）が表記されている。
【００３８】
その後、水２０が加熱容器部１０１内に注ぎ込まれると、図４（ｃ）に示すように、加熱容器部１０１の水平で平らとなった底面上に載置された加熱剤１２０は水２０に浸る。これにより、加熱剤１２０は、表面全体から均一に水２０を吸収し、生石灰は発熱を開始する。その反応熱により、アルミニウム粉末が高温の反応水と反応し、さらに発熱して高温となる。
【００３９】
高温になった水２０の一部は、図４（ｃ）に示すように、水蒸気となり、その上方に設けられて蓋体部１４０によって加熱容器部１０１の中に充満する。そして、加熱容器部１０１の中の水密容器部１１０は、外側から加熱され、その内部に収納された飲料用の水は加熱される。所定時間経過した後には、加熱容器部１０１を掴んで、斜めに傾けて水２０を加熱容器部１０１内部から捨てる。その後、蓋部１１１を掴んで回すことで、首部１１０ａとの螺合状態を解除させるとともに、蓋体部１４０を首部１１０ａから取り外す。その後、首部１１０ａの開口１１０ｂを注ぎ口として、ドリップ式のコーヒーパックなどに注ぐなどして、沸騰した飲料水１０を利用する。
【００４０】
（作用・効果）
このような本実施形態によれば、水密容器部１１０に水を入れた状態で加熱容器部１０１内に収納し、その加熱容器部１０１内に水を入れることで、加熱容器部１０１内に収納された加熱剤１２０に水和反応又は酸化反応を生じさせ、加熱容器部１０１内の水密容器部１１０を加熱することができる。これにより、本実施形態では、災害発生時などにおいて、ガスや電気を用いることなくお湯を沸かすことができるので、美味しい飲み物を安全に提供することができる。
【００４１】
また、本実施形態では、加熱容器部１０１の外表面を囲繞する断熱性の断熱部１０３を備えているので、お湯が沸いた場合でも断熱部１０３を介して加熱容器部１０１を掴むことができるので、利用者は、火傷することなく包装容器全体を掴んで、内容物が収納されたフィルターにお湯を注ぐことができる。また、断熱部１０３の外表は凹凸状に形成されているので、より沸騰したお湯の熱が外部に伝達されないため、火傷することを防止できる。
【００４２】
また、本実施形態では、蓋体部１４０によって加熱容器部１０１の開口１０１ａを塞ぐことで、水和反応又は酸化反応によって発生した熱源が加熱容器部１０１から排出されてしまうことが防止でき、水密容器部１１０内の水を短時間で沸かすことができる。これにより、ぬるま湯などではなく熱湯を発生させることができるので、美味しい珈琲を入れることができる。
【００４３】
さらに、本実施形態では、蓋体部１４０には、内部に水密容器部１１０を収納して開口を塞いだ状態において、加熱容器部内の内側面と接触する折畳片１４２が複数設けられているので、加熱剤１２０の水和反応又は酸化反応によって加熱容器部１０１内の蒸気圧が変化した場合であっても、加熱容器部１０１の内側面と折畳片１４２との摩擦力により、蓋体部１４０が開口から外れてしまうことを防止できる。
【００４４】
また、折畳片１４２を上部に向けて突出するように折り畳むことで、当該折畳片１４２を蓋体部１４０を把持する取っ手として機能させることもできる。これにより、ユーザーは火傷することなく、加熱容器部１０１内の蒸気圧によって温められた蓋体部１４０を掴むことことができる。
【００４５】
さらに、本実施形態では、蓋体部１４０には、水密容器部１１０の首部１１０ａの外形と合致する大きさの貫通孔１４５を有し、当該首部１１０ａを貫通孔１４５に挿通させた状態で、首部１１０ａに蓋部１１１を螺合させ、蓋体部１４０と水密容器部１１０とを係合しているので、加熱剤１２０の水和反応又は酸化反応によって加熱容器部１０１内の蒸気圧が変化し、蓋体部１４０が開口から外れてしまうことを防止できる。
【００４６】
［第２実施形態］
次いで、本発明の第２実施形態について説明する。図５は、第２実施形態に係る包装容器の全体構成を示す概略図であり、図６（ａ）は、第２実施形態に係る加熱容器部の構成を示す斜視図であり、同図（ｂ）は、その上面図であり、同図（ｃ）は、Ａ−Ａ断面図である。図７は、第２実施形態に係る水密容器部２１０の構成を示す斜視図であり、図８は、第２実施形態に係る加熱材配置部２３０の構成を示す斜視図である。また、図９（ａ）は、蓋体部２４０を示す斜視図であり、同図（ｂ）は、その上面図であり、同図（ｃ）は、Ｂ−Ｂ断面図である。また、図１０は、第２実施形態に係る加熱容器部２０１と蓋体部２４０との係合状態を示す一部断面図である。
【００４７】
図５に示すように、包装容器２００は、必要な熱湯を沸かして供給する用具であって、加熱容器部２０１と、水密容器部２１０と、蓋体部２４０と、加熱剤１２０と、加熱材配置部２３０とから構成されている。本実施形態において、加熱容器部２０１と、水密容器部２１０と、蓋体部２４０と、加熱材配置部２３０とは、ポリエチレン、ポリプロピレン、ポリスチレンなどの合成樹脂、又は金属部材で形成されている。
【００４８】
加熱容器部２０１は、図６（ａ）に示すように、内部に水密容器部２１０を収納可能な空間を有する部材であり、上下が開口した筒状の基部２０２と、上部開口を被覆する上蓋部２０５とが一体形成されている。
【００４９】
基部２０２の外表面の一部は、少なくとも透明な部材で形成された覗き窓２０３が設けられている。覗き孔２０３には、目盛りが表記される。基部２０２の下端側であって外表面には、雄ねじ２０４が形成され、加熱材配置部２３０と螺合可能となっている。また、基部２０２には、その外表面が凹凸状に加工され、熱が伝達されにくくなっている。これにより、ユーザーが包装容器１００を持った際、火傷しないようになっている。なお、断熱部１０３の外表面の模様としては、絹目，布目，梨目、波目など種々の形状を採用することができる。
【００５０】
上蓋部２０５は、図６（ａ）に示すように、上部開口を被覆する円盤上の底部２０６と、底部２０６周縁から上部に突出する筒状の突出部２０９とを備えている。突出部２０９は、その内表面に雌ねじが形成されており、蓋体部２４０と螺合可能となっている。底部２０６は、図６（ｂ）及び（ｃ）に示すように、略中央には、底部２０６を貫通する貫通孔２０７が設けられており、また、貫通孔２０７に向けて下方に傾斜するテーパー状の斜面部が形成されている。
【００５１】
また、図６（ｂ）及び（ｃ）に示すように、底部２０６には、貫通孔２０７と突出部２０９の間に底部２０６を貫通する水密容器用貫通孔２０８が設けられている。この水密容器用貫通孔２０８は、水密容器部２１０の首部２１２の外径と合致する大きさを有し、首部２１２が挿通可能となっている。
【００５２】
水密容器部２１０は、図７に示すように、有底な円筒状の基部２１１を有し、基部２１１の内部に水を収容可能となっている。また、水密容器部２１０の上部には、内部空間と外気とを連通させる開口２１３を有する首部２１２を有している。首部２１２及び開口２１３の水平断面形状は略三角形状をなしており、その尖端が外側に向いている。なお、首部２１２及び開口２１３としてのノズル形状は、水平断面形状としては円形、Ｕ字型等であってももよい。
【００５３】
この首部２１２は、水密容器用貫通孔２０８と合致する形状をなしており、首部２１２に水密容器用貫通孔２０８を挿通させた場合、図１に示すように、首部２１２は、蓋体部２４０の内部空間に位置するようになる。なお、本実施形態では、水密容器用貫通孔２０８に首部２１２が挿通させた状態で、それらの接触部分が係止されており、水密容器部２１０と加熱容器部２０１とは固定されているものとする。
【００５４】
加熱材配置部２３０は、図８に示すように、円盤上の底部２３３と、底部２３３周縁から上部に突出する筒状の側部２３１とが一体形成された上部開口の容器であり、容器内部に加熱剤１２０が収容可能となっている。この側部２３１の上側の内表面には、雌ねじが形成されており、加熱容器部２０１の下部２０４に形成された雄ねじと螺合可能となっている。
【００５５】
蓋体部２４０は、図９（ａ）に示すように、円筒状の側部２４１と、側部２４１の内部空間に位置する略円盤状の天井部２４２が形成されており、天井部２４２を挟んで上部開口２４６と下部開口２４４とが形成される。
【００５６】
この天井部２４２は、図９（ｂ）に示すように、略中央に天井部２４２を貫通する貫通孔２４５が設けられており、上部開口２４６と下部開口２４４とを連通可能としている。また、天井部２４２の上面は、貫通孔２４５に向けて下方に傾斜するテーパー状の傾斜面２４３となっている。なお、傾斜面２４３の外縁からは側部２４１が上部に向けて突出されており、蓋体部２４０の上部には円形の側壁が形成されている。これにより、貫通孔２４５を通過する水量より上部より注がれる水量が多い場合であっても、一定量の水を上部開口２４６部分に貯留させることができるので、水が溢れることを防止することができる。
【００５７】
側部２４１の下部外側面には雄ねじが形成されており、加熱容器部２０１の突出部２０９に形成された雌ねじと螺合可能となっている。このように加熱容器部２０１と蓋体部２４０とが螺合されると、図１０に示すように、加熱容器部２０１の内部空間と外気とは、蓋体部２４０の貫通孔２４５及び加熱容器部２０１の貫通孔２０７を介して連通されるようになる。
【００５８】
これにより、加熱容器部２０１に蓋体部２４０を係合させた後に、蓋体部２４０の貫通孔２４５及び加熱容器部２０１の貫通孔２０７を通じて加熱容器部２０１の内部空間に沸騰させるための水を注入することができる。
【００５９】
また、加熱容器部２０１と蓋体部２４０とが螺合されると、図１０に示すように、加熱容器部２０１と固定された水密容器部２１０の首部２１２が蓋体部２４０の下部開口２４４の空間内に配置されることとなる。
【００６０】
ここで、首部２１２の長さは、蓋体部２４０の下部開口２４４の空間内の長さと合致するように設計されており、首部２１２の開口２１３を天井部２４２の下面で塞ぐようになっている。これにより、沸騰させるための水を貫通孔２４５から注いだ際、その水が水密容器部２１０内部に入り込むことを防止することができるようになっている。
【００６１】
（使用方法）
このような本実施形態に係る包装容器２００を使用する場合を説明する。  図１１及び図１２は、第２実施形態に係る包装容器の使用状態を示す説明図である。なお、ここでは、加熱容器部２０１と水密容器部２１０とは予め固定されているものとする。
【００６２】
先ず、図１１（ａ）に示すように、加熱材配置部２３０の容器内部に加熱剤１２０が収容し、加熱容器部２０１の下部２０４に形成された雄ねじと、加熱容器部２０１の下部２０４に形成された雄ねじと螺着して係止する。
【００６３】
また、水密容器部２１０の首部２１２から飲料用の水１０を注ぎ込む。水密容器部２１０の内部に水１０が収納されたら、図１１（ｂ）に示すように、蓋体部２４０と加熱容器部２０１とを螺合する。
【００６４】
その後、図１２（ａ）に示すように、蓋体部２４０の上部より沸かすための水２０を注ぐと、貫通孔２４５及び貫通孔２０７を通じて、加熱容器部２０１の内部に入り込み、水２０は水密容器部２１０の外表をつたって加熱材配置部２３０の内部に貯留される。なお、この水２０は、第１実施形態と同様、加熱剤１２０を収納していた袋体を用いてその水量を調整することができる。
【００６５】
水２０が加熱材配置部２３０内に注ぎ込まれると、図１２（ａ）に示すように、加熱材配置部２３０の底面上に載置された加熱剤１２０は水２０に浸る。これにより、加熱剤１２０は、表面全体から均一に水２０を吸収し、生石灰は発熱を開始する。その反応熱により、アルミニウム粉末が高温の反応水と反応し、さらに発熱して高温となる。
【００６６】
高温になった水２０の一部は、図１２（ｂ）に示すように、水蒸気となり、上方に設けられて蓋体部２４０によって加熱容器部２０１の中に充満する。そして、加熱容器部２０１の中の水密容器部２１０は、外側から加熱され、その内部に収納された飲料用の水は加熱される。所定時間経過した後には、加熱容器部２０１を掴んで、斜めに傾けて、首部２１２の開口２１３を注ぎ口として、沸騰したお湯を利用する。
【００６７】
（作用・効果）
このような第２実施形態によれば、水密容器部２１０に水を入れた状態で加熱容器部２０１内に収納し、その加熱容器部２０１内に水を入れることで、加熱容器部２０１内に収納された加熱剤１２０によって水和反応又は酸化反応を生じさせ、加熱容器部２０１内の水密容器部２１０を加熱することができる。これにより、本発明では、災害発生時などにおいて、ガスや電気を用いることなくお湯を沸かすことができるので、美味しい飲み物を安全に提供することができる。
【００６８】
特に、本発明では、蓋体部２４０には、当該蓋体部２４０を上下に貫通する貫通孔２４５を有し、また、加熱容器部２０１には上下を貫通する貫通孔２０７を有している。このように、貫通孔２０７及び貫通孔２４５を介して加熱容器部２０１の内部と外気とは連通可能となっているので、加熱容器部２０１に蓋体部２４０を係合させて包装容器２００全体を組み立てた後に、沸かすための水を貫通孔２４５を通じて加熱容器部２０１の内部に注水可能できるとともに、沸いたお湯を貫通孔２４５を通じて外部に排水することができるので、容易且つ即時にお湯を沸かして利用することができる。
【００６９】
なお、貫通孔２０７及び貫通孔２４５との径は小さいため、沸騰したお湯の水蒸気が当該貫通孔から漏れる量は最小となり、お湯がぬるま湯などになることを防止できる。また、この貫通孔２０７及び貫通孔２４５を有することで、水密容器部１１０内に発生した蒸気の一部を逃がすことができるので、容器内の圧を調整する予備口として機能する。
【００７０】
また、蓋体部２４０には、上部において貫通孔２４５に向けて下り傾斜されたテーパー状の傾斜面２４３とを有しているので、加熱剤１２０と反応させるための水を一度に入れすぎたとしても、上部開口２４６部分に貯留させることができるので、水が外部に溢れることを防止することができる。
【００７１】
さらに、水密容器部２１０の首部２１２に形成された開口２１３は、水平断面形状として略三角形状をなしており、その尖端が外側に向いているので、包装容器２００を傾けると、沸騰した飲料水１０は尖端で形成されたＶ字状の溝に沿って外部に放出されるので、注ぎ易くすることができる。
【００７２】
（変更例）
なお、上述した第１実施形態では、包装容器１００は、加熱容器部１０１は、アルミニウム箔など耐熱性フィルムから形成され、水密容器部１１０は、ポリエチレンなどの合成樹脂で形成させたが、本発明は、これに限定するものではなく水密性及び耐熱性を有していればよく、種々の素材を用いることができる。ここで、例えば、包装容器１００は、複数回利用可能であり、また、加熱容器部１０１や水密容器部１１０が耐圧性を有するように、金属部材や強化プラスチックなどで作成してもよい。
【００７３】
さらに、上述した第１実施形態において、水密容器部１１０には、開口部分は１箇所のみ作成したが、例えば、注ぎ口のほかに、水密容器部１１０内に発生した蒸気を逃がして容器内の圧を調整する予備水口を形成させてもよい。なお、予備水口には、上記を逃すための安全弁が形成されるものとする。また、上述した実施形態において、包装容器１００には、加熱容器部１０１に注ぎ込む加熱用の水２０を収納したパック部材を同封してもよい。
【００７４】
また、第１実施形態には、加熱容器部１０１の開口の周縁部に取付けられる吸水性の部材である吸水部を備えてもよい。吸水部は、例えば、液体を含侵させるスポンジ、繊維、ポリマー、又はシリカゲル等などが用いることができる。吸水部は、加熱容器部１０１の開口の周縁部を挟み込むように形成されており、その一部が加熱容器部１０１の内部に配置される。
【００７５】
さらに、上述した包装容器１００、２００は、お湯を沸かすために用いたが、本発明はこれに限定するものではなく、例えば、レトルト食品やカップ麺などの乾物など熱いお湯を利用する様々な食品に利用することができる。
【符号の説明】
【００７６】
１０…水
２０…水
１００…包装容器
１００ａ…開口
１０１…加熱容器部
１０１ａ…開口
１０３…断熱部
１１０…水密容器部
１１０ａ…首部
１１０ｂ…開口
１１０ｃ…本体
１１１…蓋部
１２０…加熱剤
１４０…蓋体部
１４１…本体部
１４１ａ…外縁部分
１４２…折畳片
１４４…切欠部
１４５…貫通孔
２００…包装容器
２０１…加熱容器部
２０２…基部
２０３…窓
２０４…雄ねじ
２０５…上蓋部
２０６…底部
２０７…貫通孔
２０８…水密容器用貫通孔
２０９…突出部
２１０…水密容器部
２１１…基部
２１２…首部
２１３…開口
２３０…加熱材配置部
２３１…側部
２３３…底部
２４０…蓋体部
２４１…側部
２４２…天井部
２４３…傾斜面
２４４…下部開口
２４５…貫通孔
２４６…上部開口
【図１】
2016067386.tif 000003
【図２】
2016067386.tif 000004
【図３】
2016067386.tif 000005
【図４】
2016067386.tif 000006
【図５】
2016067386.tif 000007
【図６】
2016067386.tif 000008
【図７】
2016067386.tif 000009
【図８】
2016067386.tif 000010
【図９】
2016067386.tif 000011
【図１０】
2016067386.tif 000012
【図１１】
2016067386.tif 000013
【図１２】
2016067386.tif 000014